(57)【要約】【課題】物干し竿に、二つ折にして掛けた布団を干す際、下部同士が接触する事を防止し、乾燥を促進する器具において、低コストで、着脱が容易で、不要時の収納に場所を取らない器具が求められている。【解決手段】厚さが一定のプレートに、複数の形状のスリットを設け、物干し棒に吊下げた布団などの下部を、プレートの弾性変形を利用して挟んで保持する。また、スリットの周囲の部材及び必要部分だけを残し、不要部分を削除する事で、コストを押さえ、商品価値を高める。【選択図】図３
2012081229.tif 000002
【特許請求の範囲】
【請求項１】
樹脂製または金属性で、厚さが略一定であり、短辺が５〜５０ｃｍ、長辺が１０〜１００ｃｍの略長方形の平板に、複数のスリット、即ち細長い溝状の切り欠き部を設け、部材の持つ弾性を利用してスリットの開口幅または溝幅を変形させる事で、布団やタオルなどの柔らかい布製品を挟み込み、弾性変形による付勢力で保持可能に構成した事を特徴とする、布団用の乾燥促進具。
尚、スリットは、平板本体を正面から見た状態で、略Ｕ字形状の切り欠きの他、開口端部が狭くなった水滴型や、折れ線状のギザギザ型や、これらの組み合せ型を指す。
【請求項２】
以下のいずれかの特徴を有する、請求項１に記載の、布団用の乾燥促進具。
１，平板の本体を、長辺が水平となる状態で見た時、スリットを略左右対称形状に配置した。
２，複数のスリットを設けた場合、左右端のスリットの方が、中央付近のスリットよりも幅を広くした。即ち、外側の方が厚手の物を保持可能とした。
３，厚手の布団などを保持する為の左右端のスリットは、水滴型とし、薄手の毛布などを保持する為の内側のスリット、即ち中央部寄りのスリットは、ワニ口形状やギザギザ形状とした。
４，スリットの内表面で、布団などを挟む面を、粗面、またはギザギザ面、または細かい複数の突起形状を設けた面とし、滑り止めとした。
５，スリットの内表面で、布団などを挟んで保持する面に、ゴム又は軟質樹脂を貼り付けた。
【請求項３】
スリットの周辺に、スリットを開閉させる為の取っ手形状を設けた事を特徴とする、請求項１〜２に記載の、布団用の乾燥促進器具。
尚、取っ手形状とは、スリットの開口部を開く方向に力を加える事ができる様に、同一平面内に、手や指が入る貫通孔を設けた構成を指し、この取っ手部分のみ、他の部分と厚さが異なる場合や、使い易い様に段差を設ける構成や、指を当て易い形状を施した形状も含む。
【請求項４】
以下の様に構成した事を特徴とする、請求項１〜３に記載の、布団用の乾燥促進具。
１、平板から、スリット部分と取っ手部分を切り取り、請求項１〜３に記載の構成とする。
２、スリット及び取っ手の周囲に、スリットを弾性変形させて開閉する為に必要な所定の幅だけを残し、また、スリットや取っ手の周囲と他のスリットや取っ手の周囲とを連結する部分も残し、それ以外の部分を切り取り、削除する。
３、残った部分は、一定の厚さで所定の幅の角棒を曲げて連結した形状のフレームとなるので、この断面形状を、長方形、長円形、楕円形、Ｈ型、Ｉ型、＋型、Ｔ型、Ｘ型、Ｖ型、Ｌ型、Ｎ型、Ｍ型、Ｅ型、Ｙ型、またはＵ型とし、変形に対する剛性を高める。
尚、所定の断面形状の棒を曲げてつなぎ合わせた形状は、意匠性を加えた形状も含み、断面形状は、所定の長さの範囲で、ある断面形状から他の断面形状へ滑らかに変化する構成や、上記の複数の断面形状を組み合せた構成も含む。
【発明の詳細な説明】
【技術分野】
【０００１】本発明は、主として布団や毛布などを、物干し竿、手すり、欄干などに掛けて干す際、逆Ｕ字状態の布団などの下部が密着し、通気性が悪くなって乾き難くなる事を防止する器具に関する。
【背景技術】
【０００２】物干し竿などに、布団を二つ折りにして掛けて干す場合、垂れ下がった布団同士が接触して通気性が悪くなり、乾き難くなる事を防止する為の既存技術として、例えば以下の先願が存在する。
先願▲１▼：特許公開２００４−３０５４００
先願▲２▼：特許公開２００３−２４６９３
先願▲３▼：特許公開２００１−１４９６９３
先願▲４▼：特許公開２００１−１１３０９３
先願▲５▼：特許公開２００１−１７７９３
先願▲６▼：特許公開２０００−３５０８９８
先願▲７▼：実用新案公開平７−２４２９２
しかし上記の先願は、全て物干し竿などに事前に設置しておき、その上から布団などを掛ける構造の為、以下の欠点が有った。
１、物干し竿に布団を掛ける場合に比べて、布団が掛けずらい。
２、布団の上部を開いても、風が通過した際の負圧により、下端が接触する。
３、貴具が不要になっても、布団をどけなければ撤去できない。
４、立体構造の為、不要時の収納に場所を取る。
５、構造が複雑で組立にも手間がかかり、製造コストが高くなる。
６、構造上、汚れた時の雑巾による拭き取り作業が、やり難い。
７、風によって下端が開き過ぎ、布団が風に飛ばされる可能性が有る。
８、布団の重量や、布団を掛ける時の衝撃で、破損する可能性が有る。
９、布団の重量を支える為の強度が必要で、結果的に製造コストが上がる。
尚、先願▲１▼〜先願▲７▼は、既存技術と称していても、実際には技術と呼べず、実用化や商品化は不可能であり、事実、商品として発売された事実は存在しない。
【発明の開示】
【発明が解決しようとする課題】
【０００３】前述の通り、物干し竿に掛けた布団の下端を広げ、通気性を確保し、乾燥を促進する為の既存技術は、到底技術とは呼べず、非現実的で、欠点だらけで有った。
本発明は、この欠点を解決する事を課題とし、具体的には、以下の通りである。
１、通常通り、布団を物干し竿に掛けた後で、着脱可能な器具である事。
２、布団などの下端が接触する事を、確実に防止する事。
３、不要時に、布団を下ろさなくても簡単に撤去できる器具である事。
４、立体構造では無く平面構造とし、未使用時に、収納場所を取らない事。
５、一体成形により、最小の部品点数で製造可能で、低コストである事。
６、屋外での使用によって汚れても、簡単に清掃できる事。
７、布団などが、風にあおられて飛ぶのを防止できる事。
８、布団の重量が、直接、器具に加わらない構造・構成である事。
以上の課題を、全て満足できる事。
【課題を解決するための手段】
【０００４】一定の厚さを有する合成樹脂製のプレートに、布団を挟んで保持する為の複数のスリットを設ける。これで、物干し竿などに掛けた布団の下端同士を挟んで保持する事で、前述の課題を解決する。
【発明の効果】
【０００５】本発明品によれば、物干し竿などに布団を掛けて干す際、布団の下部同士が接触する事を簡単に防止する事が可能で、布団の乾燥が容易に促進される。即ち、前述の多数の課題を、全て解決する事ができる。
具体的には、既存技術の様に大げさな装置を組み立てる必要も、事前準備も不要で、布団を物干し竿に掛けてから、様子を見ながら必要な部分だけに乾燥促進具を装着できる。さらに、構造が簡単でシンプルな為、製造コストを極めて低く抑える事が可能となり、広く一般大衆に普及する事ができる。
不使用時には、狭い隙間などにも簡単に収納可能で、無駄に場所を取る事も無い。
【発明を実施するための最良の形態】
【０００６】一定の厚さを有する合成樹脂製のプレートに、布団を挟んで保持する為の複数のスリットを設ける。スリットは、布団などを保持し易くする為、水滴型やギザギザ型に成形する。さらに、不要な部分は貫通孔として取り去り、スリットの開閉用に取っ手も設ける。
具体的には、各請求項に記載された構成とする。
【実施例】
【０００７】図１は、本発明品である布団用の乾燥促進器具の、基本構成を表す。
１は一定の厚さを有するプレート状の本体であり、弾性変形が可能な樹脂で成形する。
２は一対のスリットであり、上部の開口部は、プレートが弾性変形する事で一定量の開閉が可能であり、この弾性変形による付勢力によって、スリットに挿入した布団などの柔らかい物を挟んで保持する事ができる。
このスリットの形状は、請求項１に記載の通り、開口部を狭くした水滴型にしたり、ギザギザ型にしても良い。以上が、請求項１に記載の布団用の乾燥促進具の実施例である。【０００８】図２は、図１に示す本発明品を、実際に使用している状態の実施例を表す。
物干し竿３に、二つ折りにして掛けられた布団４は、通常であれば下部が接触してしまい、通気性が悪くなって乾きが悪くなる。
そこで、スリット２を利用して本発明品の本体プレート１を取り付けると、布団の下部が接触する事を防止できる。
また、本発明品の構造であれば、スリットの弾性変形による付勢力は、本体の自重だけを保持すれば良いので、既存技術の様に、高強度を必要とせず、コストダウンができる。尚、１個では布団の下部が接触する場合は、本発明品を２〜３個使用すれば良く、複数を使用しても、本体が薄いプレートの為、不要となって片付ける際も、場所を取らない。【０００９】図３は、請求項２及び請求項３に記載された本発明の実施例を表す。
６は、毛布やバスタオルなどを保持する為の、狭いギザギザ形状のスリットであり、５は、布団などの厚手の物を保持する為の、水滴形状のスリットである。
毛布用の一対のスリットを内側に配置し、布団用の一対のスリットを外側に配置したのが図３の構成であり、７は、スリットを開閉し、着脱作業を容易にする為の取っ手である。
この構成であれば、一定の厚さのプレートを、所定の形状で切り抜いて削除するだけで、毛布にも布団にも使用可能で、操作性も非常に良くなる。即ち、コストをかけずに、高機能が得られる為、商品性も極めて高い。
以上が、請求項２及び請求項３に記載の本発明の実施例である。【００１０】図４は、請求項４に記載された本発明の実施例を表す。
図３の構成に対して、デザインを施し、不要部分８を削除すると、棒状の部材を曲げてつないだ形状のフレーム９が残る。
１０は、毛布などの薄手のものを挟む為のギザギザ形状のスリット部分であり、１１は、ギザギザ形状部を広げる為の取っ手である。
１２は、布団などの厚手のものを挟む為の水滴形状のスリットであり、１３は、水滴形状のスリットの上部を開く為の取っ手である。
尚、不要部分を取り去った残りのフレーム９は、Ｔ型断面やＨ型断面など、請求項４に記載のいずれかの断面形状とすれば、材料費を節約しつつ、所定の曲げ強度を確保する事ができる。以上が、請求項４に記載の本発明の実施例である。
【産業上の利用可能性】
【００１１】本発明によれば、布団などを干す際、下部の接触を防止して乾燥を促進する器具を、低価格で一般消費者に提供する事が可能となり、また、不要時に片付ける際も場所を取らず、利便性も高い商品を広く普及できる。
【図面の簡単な説明】
【００１２】
【図１】本発明品の正面図であり、基本構成を表す。
【図２】本発明品を使用して布団の下部を保持している状態の、断面図を表す。
【図３】本発明品の請求項２及び請求項３に記載された構造の、正面図を表す。
【図４】本発明品の請求項４に記載された構造の、デザインされた正面図を表す。
【符号の説明】
【００１３】  １、一定の厚さを有する、プレート状の本体
２、スリット
３、物干し竿
４、二つ折りにして物干し竿に掛けた状態の、布団
５、厚手の布団を挟んで保持可能な、水滴形状のスリット
６、薄手の毛布などを挟んで保持可能な、ギザギザ形状のスリット
７、スリットを開閉する為の、取っ手（貫通孔）
８、プレート状の本体から削除された、不要部分
９、不要部分を削除した後の、棒を曲げて繋げた形状の、フレーム
１０、薄手の毛布などを挟んで保持可能な、ギザギザ形状のスリット
１１、スリットを開閉する為の、取っ手（貫通孔）
１２、厚手の布団を挟んで保持可能な、水滴形状のスリット
１３、スリットを開閉する為の、取っ手（貫通孔）
【図１】
2012081229.tif 000003
【図２】
2012081229.tif 000004
【図３】
2012081229.tif 000005
【図４】
2012081229.tif 000006